(57)【要約】      （修正有）【課題】ユーザに対してゴミ収集日であることを効果的に報知することのできる電子時計を提供する。【解決手段】電子時計は，時計部１０と，カレンダ部２０と，記憶部３０と，センサ４０と，報知部５０と，を備える。時計部１０は，時刻を計測する。カレンダ部２０は，時計部１０が計測する時刻と連動して日付又は曜日を含むカレンダ情報を生成する。記憶部３０は，カレンダ情報に関連付けてイベントの日付又は曜日を含むイベント情報を記憶する。センサ４０は，人間を含む物体の存在を検知する。報知部５０は，記憶部３０に記憶されているイベントの当日又は所定時間前に，センサ４０が物体の存在を検知したときに，イベントがある旨を知らせる報知機能を有する。【選択図】図２
2015064317.tif 000002
【特許請求の範囲】
【請求項１】
時刻を計測する時計部（１０）と，
前記時計部（１０）が計測する時刻と連動して日付又は曜日を含むカレンダ情報を生成するカレンダ部（２０）と，
前記カレンダ情報に関連付けてイベントの日付又は曜日を含むイベント情報を記憶する記憶部（３０）と，
人間を含む物体の存在を検知するためのセンサ（４０）と，
前記記憶部（３０）に記憶されている前記イベントの当日又は所定時間前に，前記センサ（４０）が前記物体の存在を検知したときに，前記イベントがある旨を知らせる報知機能を有する報知部（５０）と，を備える
電子時計。
【請求項２】
前記報知部（５０）は，前記記憶部（３０）に記憶されている前記イベントの所定時間前に，前記センサ（４０）による検知の有無に関わらず，前記イベントがある旨を予告する予告機能を，さらに有する
請求項１に記載の電子時計。
【請求項３】
前記報知部（５０）は，少なくとも音出力部（５１）及び発光部（５２）を有し，
前記報知機能は，前記音出力部（５１）から音を出力することで，前記イベントがある旨を知らせるものであり，
前記予告機能は，前記発光部（５２）を発光させることで，前記イベントがある旨を予告するものである
請求項２に記載の電子時計。
【請求項４】
前記センサ（４０）は，前記物体の移動方向を検出する機能を有し，
前記報知部（５０）の報知機能は，前記記憶部（３０）に記憶されている前記イベントの当日又は所定時間前に，前記センサ（４０）が前記物体の一定方向への移動を検知したときに，前記イベントがある旨を知らせる
請求項１から請求項３のいずれかに記載の電子時計。
【請求項５】
前記イベントは，ゴミ収集日である
請求項１から請求項４のいずれかに記載の電子時計。
【発明の詳細な説明】
【技術分野】
【０００１】
本発明は，ゴミ収集日などのイベントを知らせてくれるアラーム付きの電子時計に関する。具体的に説明すると，本発明の電子時計は，ゴミ収集日などのイベントの当日に，電子時計の前を通過したユーザに対して，イベントの存在を報知する機能を備えたている。
【背景技術】
【０００２】
近年，家庭用のゴミを集積場所に出す際には，その分別方法やゴミのまとめ方が細かく分類されていたり，指定日の指定時間帯に出す必要があるなど，環境への配慮を目的としたルールが厳しくなってきている。特に，ゴミ出しの時間帯については，鳥獣によって荒らされる被害を防止するために，集積時間の直前に出すように推奨している自治体も多い。例えば，ゴミ収集日の前日の夜にゴミ出しすることを禁止している地域もある。そうすると，収集日の朝早くにゴミを集積場所に出す必要があるが，朝は比較的忙しい時間帯であることから，まとめたゴミを集積場所に出し忘れるという事態もしばしば発生する。このため，各家庭では，収集日の前日の夜にまとめたゴミを玄関に置いておくなど，ゴミを出し忘れない様にするための工夫をそれぞれ行っている。
【０００３】
また，ゴミの出し忘れを防止するための装置としては，例えば特許文献１〜３に開示されているように，スケジュール管理機能付きの電子時計が従来から知られている。従来の電子時計では，メモリ（記憶部）にユーザのイベントの日時を登録できるようになっており，そのイベントの日時になるとアラーム音が鳴って，ユーザに対してイベントの存在を知らせることができるように設計されている。
【先行技術文献】
【特許文献】
【０００４】
【特許文献１】特開平１０−２４１６９４号公報
【特許文献２】特開平１１−２３１０７１号公報
【特許文献３】特開２００９−２７６２２０号公報
【発明の概要】
【発明が解決しようとする課題】
【０００５】
上述のように，従来の電子時計は，ユーザによって設定された特定の日時にアラームを鳴らすことは可能である。しかし，従来の電子時計では，例えばゴミ収集日であることを知らせるアラームを特定の時刻に鳴らしたとしても，そのアラームが適切なタイミングで鳴らなければ，ユーザがゴミを出し忘れるという事態を確実に防止するができないという問題があった。例えば，ゴミ収集日当日の朝６時にアラームが鳴ったとしても，そのアラームが鳴った時刻がユーザにとってゴミ出しに適したタイミングでない場合，ユーザはゴミ出しを行わずに，アラームを停止させてしまうことがある。また，出勤前の朝の時間帯は非常に忙しい時間帯であるため，ユーザにとってゴミ出しに適した時刻がいつであるかを予め特定しておくことも難しい。このため，結局，ゴミ収集日当日の特定時刻にアラームを鳴らしたとしても，ユーザがゴミを出し忘れるという事態を確実に防止するができないという問題があった。
【０００６】
また，従来の電子時計は，アラームを所定時間毎（例えば５分毎）に複数回鳴らす，いわゆるスヌーズ機能を備えるものも存在する。このスヌーズ機能を利用すれば，ユーザが実際にゴミ出しを完了するまで，何度もアラームを鳴らすことができる。しかし，スヌーズ機能では，所定時間毎に鳴るアラームをユーザが逐一停止させる作業を行う必要があり，ユーザがゴミ出しを完了するまで，何度も繰り返し電子時計のアラームを停止させなければならない。このため，スヌーズ機能を利用してゴミ収集日であることを知らせるようにすることは，ユーザにとって却って煩わしさを感じさせる恐れがあるという不具合があった。
【０００７】
このため，現在では，ユーザが特定の収集日にゴミを出し忘れることを防止するために，ユーザに対してゴミ収集日であることを効果的に報知することのできる電子時計が求められている。
【課題を解決するための手段】
【０００８】
そこで，本発明の発明者は，上記の従来発明の問題点を解決する手段について鋭意検討した結果，電子時計に人感センサを備え付けて，ゴミ収集日などのイベント当日であって，ユーザが電子時計の前を通過したときに，ユーザに対してアラームを報知するようにすることで，ユーザがゴミを集積場所に出し忘れることを効果的に防止できるという知見を得た。すなわち，本発明のセンサ付き電子時計を，例えば玄関先や台所などに設置しておくことで，ユーザにとってゴミ出しに適したタイミングで，アラームを適切に鳴らすことができる。このように，従来の電子時計のように特定の時刻にアラームを鳴らすのではなく，ユーザが玄関先や台所などに存在するという，ユーザがゴミ出しを行いやすいタイミングでアラームを鳴らすようにすることで，ゴミの出し忘れを防止するという目的を効果的に達成することができる。そして，本発明者は，上記知見に基づけば，従来技術の課題を解決できることに想到し，本発明を完成させた。
具体的に説明すると，本発明は以下の構成を有する。
【０００９】
本発明は，ゴミ収集日などを報知する機能を備える電子時計に関する。
本発明の電子時計は，時計部１０と，カレンダ部２０と，記憶部３０と，センサ４０と，報知部５０と，を備える。
時計部１０は，時刻を計測する。
カレンダ部２０は，時計部１０が計測する時刻と連動して日付又は曜日を含むカレンダ情報を生成する。
記憶部３０は，カレンダ情報に関連付けてイベントの日付又は曜日を含むイベント情報を記憶する。
センサ４０は，人間を含む物体の存在を検知する。
報知部５０は，記憶部３０に記憶されているイベントの当日又は所定時間前に，センサ４０が物体の存在を検知したときに，イベントがある旨を知らせる報知機能を有する。
【００１０】
上記構成のように，例えば壁掛け型又は卓上設置型の電子時計に，人感センサ４０を設けて，ゴミ収集日であって，且つ，ユーザが電子時計の前を通過したときに，ユーザに対してアラームを報知するようにすることで，ゴミ収集日の報知に特に適した電子時計を提供することができる。
【００１１】
本発明の電子時計において，報知部５０は，記憶部３０に記憶されているイベントの所定時間前に，センサ４０による検知の有無に関わらず，イベントがある旨を予告する予告機能を，さらに有することが好ましい。
【００１２】
上記構成のように，ゴミ収集日などのイベントが開始する所定時間前に，その旨を予告するようにすることで，例えば，ゴミ収集日前日の夜に，家庭ゴミをまとめる作業を行うように促すことが可能となる。
【００１３】
本発明の電子時計において，報知部５０は，少なくとも音出力部５１及び発光部５２を有することが好ましい。ここで，報知部５０の報知機能（例：ゴミ収集日をお知らせする機能）は，音出力部５１から音を出力することで，イベントがある旨を知らせるものであることが好ましい。他方，報知部５０の予告機能（例：ゴミ収集日前日に予告を行う機能）は，発光部５２を発光させることで，イベントがある旨を予告するものであることが好ましい。
【００１４】
上記構成のように，報知機能による報知の方法と，予告機能による報知の方法を，それぞれ異ならせることで，ユーザに対して適切に情報を伝えることができる。また，予告機能についてまで，報知機能と同様にアラーム音の出力を行うと，ユーザが煩わしさを感じさせる恐れがある。そこで，本発明の好ましい形態では，ゴミ収集日の前日などに予告を行う予告機能については，発光体（ＬＥＤなど）を発光させるだけにして，ユーザに対して簡易的な報知を提供するようにすることで，電子時計の使い勝手をより向上させることができる。
【００１５】
本発明の電子時計において，センサ４０は，物体の移動方向を検出する機能を有することとしてもよい。例えば，電子時計に複数のセンサ４０を備え付けることで，各センサ４０によって検知された情報に基づいて，物体の移動方向を把握することができる。
ここで，報知部５０の報知機能は，記憶部３０に記憶されているイベントの当日又は所定時間前に，センサ４０が物体の一定方向への移動を検知したときに，イベントがある旨を知らせるようにしてもよい。
【００１６】
上記構成のように，物体が一定方向へ移動したときにだけイベントの報知を行うようにすることで，ユーザに対して不必要なアラームを報知するという事態を回避できる。例えば，本発明の電子時計を玄関先に設置しているユーザが，自宅から外出するときにだけ，アラームの報知が行われることを希望しているとする。この場合に，上記構成によれば，ユーザが外出する方向に移動する時にだけ，アラームの報知が行われるように設定することができる。他方，ユーザが帰宅したとき（室内に入る方向に移動したとき）には，アラームの報知が行われない。このように，ユーザの希望に応じて，アラームを報知する条件を設定できるため，ユーザに対して不必要なアラームを報知するという事態を回避できる。
【発明の効果】
【００１７】
上述したとおり，本発明によれば，ユーザが特定の収集日にゴミを出し忘れることを防止するために，ユーザに対してゴミ収集日であることを効果的に報知することのできる電子時計を提供することができる。
【図面の簡単な説明】
【００１８】
【図１】図１は，本発明に係る電子時計の一例を示す外観正面図である。
【図２】図２は，本発明に係る電子時計の一例を示す機能ブロック図である。
【図３】図３は，本発明の電子時計における情報処理の流れを示したフロー図である。
【発明を実施するための形態】
【００１９】
以下，図面を用いて本発明を実施するための形態について説明する。本発明は，以下に説明する形態に限定されるものではなく，以下の形態から当業者が自明な範囲で適宜修正したものも含む。
【００２０】
図１は，本発明の一実施形態に係る電子時計１００の外観を示している。また，図２は，電子時計１００の内部機構を概念的に示した機能ブロック図である。
図２のブロック図に示されるように，本発明の電子時計１００は，基本的に，時計部１０と，カレンダ部２０と，記憶部３０と，センサ４０と，報知部５０と，操作部６０と，制御部７０と，を備えている。また，図１の外観図や図２のブロック図に示されるように，報知部５０は，音出力部５１と，発光部５２と，表示部５３と，を有する。また，図１及び図２に示されるように，操作部６０は，終了ボタン６１と，設定ボタン６２と，を有している。以下では，本発明の電子時計１００を構成する各要素１０〜７０について，詳しく説明する。
【００２１】
時計部１０は，時刻を計測する。時計部１０としては，公知のデジタル時計に用いられる時計回路を利用すればよい。すなわち，時計回路は，一般的に，電源（図示省略）からの電力の供給を受けて一定周期の発振信号を生成する発振器と，この発振記により生成された発振信号に基づいて時刻を生成する時刻生成器を有する。その他，時計部１０は，標準時刻電波を受信してその時刻を修正する，いわゆる電波時計回路であってもよい。時計部１０により生成された時刻は，カレンダ部２０及び制御部７０に伝達される。
【００２２】
カレンダ部２０は，時計部１０が計測する時刻と連動してカレンダ情報を生成する。カレンダ情報には，例えば，月，週，日などの日付や，曜日が含まれる。また，カレンダ情報には，祝祭日や，六曜，二十四節気などの暦情報が含まれていてもよい。カレンダ部２０は，時計部１０によって生成された時刻の情報に基づいて，日付や曜日などを進行させて，現在のカレンダ情報を生成する。例えば，カレンダ部２０は，時刻が２３時５９分から００時００分に変わったとき，日付や曜日を，次の日付や曜日に変更する。これにより，カレンダ部２０によって現在のカレンダ情報（日付，曜日）が得られる。なお，カレンダ部２０による処理は，上述した公知の時計回路や電波時計回路によって実行されるものであってもよい。カレンダ部２０によって生成されたカレンダ情報は，記憶部３０及び制御部７０に伝達される。
【００２３】
記憶部３０は，カレンダ部２０が生成したカレンダ情報に関連付けて任意のイベントに関する情報（イベント情報）を記憶する。イベント情報には，イベントが開始する時刻や，日付，曜日などが含まれる。記憶部３０に記憶するイベント情報は，ユーザが任意に設定することができる。例えば，ユーザは，操作部６０の設定ボタン６２を介してイベントの時刻，日付，及び曜日などを入力する。設定ボタン６２から入力された情報は，制御部７０によって制御信号に変換されて，記憶部３０に書き込まれる。また，記憶部３０に記憶されているイベント情報は，制御部７０によって適宜読み出されて参照される。記憶部３０は，公知のＥＥＰＲＯＭ（Electrically Erasable Programmable Read-Only Memory）のような記憶回路によって構成すればよい。
【００２４】
また，記憶部３０は，一又は複数のイベント情報を記憶することができる。イベント情報の例は，ゴミ収集日の日付や曜日に関する情報である。また，一般的に，ゴミ収集日には幾つかの種類がある。例えば，ゴミ収集日は，燃やせるゴミの日や，燃やせないゴミの日，資源ゴミの日などのように，ゴミの分別方法や収集方法に応じて分類されている。記憶部３０には，これらのゴミ収集日の分類ごとに，日付や曜日を記憶しておくことが好ましい。例えば，記憶部３０には，毎週月曜日が燃やせるゴミの日であり，毎週火曜日が燃やせないゴミの日であり，第２・第４水曜日が資源ゴミの日であるなど，複数のイベント情報が記憶される。
【００２５】
センサ４０は，人間を含む物体の存在を検知する。すなわち，センサ４０は，人間を含む物体が，センサ４０の前に存在するか否かを検知する。このため，センサ４０は，電子時計１００の前をユーザ（人間）が通過したことを検知することができる。センサ４０の例は，人感センサである。センサ４０としては，赤外線センサ，超音波センサ，可視光センサなど公知のセンサを利用することができる。センサ４０によって検知された情報は，制御部７０へと伝達される。また，センサ４０は，ＯＮ／ＯＦＦ（起動／停止）の制御が可能であることが好ましい。センサ４０のＯＮ／ＯＦＦは，制御部７０によってコントロールされる。
【００２６】
また，センサ４０は，物体の移動方向を検出できるものを利用することとしてもよい。例えば，センサ４０は，電子時計１００の複数箇所に存在していてもよい。例えば，電子時計１００の左右両側の２箇所にセンサ４０を配置する。これにより，物体が電子時計１００の前を通って左から右へ移動したときには，まず左側のセンサが物体の存在を検出し，その後右側のセンサが物体の存在を検出する。従って，複数のセンサ４０によって，物体が左から右への一定方向に移動したことを検出することができる。このように，本発明の電子時計１００では，複数のセンサ４０によって，物体の移動方向を検出することとしてもよい。なお，ここにいう「一定方向」とは，例えば，右から左への方向，又は左から右への方向のいずれか一方の方向を意味している。
【００２７】
報知部５０は，制御部７０から受信した制御信号に基づき，ユーザに対してイベントの存在を報知する。例えば，報知部５０は，図１及び図２に示されるように，音出力部５１と，発光部５２と，表示部５３と，を有することが好ましい。音出力部５１は，アラーム音や音声などを出力するスピーカなどによって構成される。また，発光部５２は，ＬＥＤ（Light Emitting Diode）や電球などの発光素子によって構成される。また，表示部５３は，所定の画像を表示可能なＬＣＤ（Liquid Crystal Display）などのディスプレイによって構成される。例えば，表示部５３には，現在の時刻や，現在のカレンダ情報（日付，曜日等）の他に，ゴミ収集日であることを示す画像や，ゴミ収集分類の種類の案内などが表示される。
【００２８】
報知部５０を構成する音出力部５１，発光部５２，及び表示部５３は，それぞれ制御部７０に接続されている。制御部７０は，時計部１０や，カレンダ部２０，記憶部３０，及びセンサ４０から受信した情報に基づいて，これらの音出力部５１，発光部５２，及び表示部５３を制御する。
【００２９】
報知部５０は，基本的に，報知機能と予告機能を有する。
報知機能は，記憶部３０に記憶されているイベントの当日又は所定時間前に，センサ４０が物体の存在を検知したときに，イベントがある旨を知らせる機能である。例えば，報知機能は，イベントの当日となった時から開始することとしてもよいし，イベント当日の所定時間前から開始することとしてもよい。「所定時間前」とは，例えば，６時間前，４時間前，又は２時間前などである。
また，予告機能は，記憶部３０に記憶されているイベントの所定時間前に，センサ４０による検知の有無に関わらず，イベントがある旨を予告する機能である。予告機能が報知機能と異なる点は，予告機能では，センサ４０によって物体の存在が検出されていない場合であっても，イベントの存在を予告する点にある。予告機能では，例えば，イベント開始時間の６時間前，４時間前，又は２時間前から予告報知を行い始めればよい。
これらの報知部５０による報知機能及び予告機能は，制御部７０によって制御されている。
【００３０】
操作部６０は，ユーザが電子時計１００に対して所定の情報を入力するためのインターフェイスである。操作部６０は，例えば，終了ボタン６１と設定ボタン６２を有する。終了ボタン６１は，報知部５０による報知機能（例：アラーム音の出力）を停止させるための情報を，制御部７０に入力するためのボタンである。例えば，終了ボタン６１は，ユーザがゴミ出しを終えた後に押下される。また，設定ボタン６２は，イベントの日付や曜日を設定するための情報を，制御部７０に入力するためのボタンである。例えば，設定ボタン６２は，ユーザが任意のゴミ収集日を設定する際に押下される。
【００３１】
制御部７０は，図２に示されるように，電子時計１００を構成する各要素１０〜６０とそれぞれ接続されている。制御部７０は，各要素１０〜６０からの情報を受信し，各要素１０〜６０に対する制御信号を生成することで，これらを総合的に制御するＣＰＵである。制御部７０は，各機能を実行するためのプログラムを有し，このプログラムに従って各要素１０〜６０の制御を行う。
以下では，図３のフローチャートを参照して，制御部７０による情報処理の流れについて説明する
【００３２】
図３に示されるように，制御部７０は，基本的に，記憶部３０に記憶されているイベント情報の確認を行っている（ステップＳ１）。すなわち，記憶部３０には，ユーザが任意に登録した一又は複数のイベントについて，その日付や曜日が記憶されている。このため，制御部７０は，記憶部３０に記憶されている各イベントについて，その日付や曜日を確認している。
【００３３】
制御部７０は，記憶部３０に記憶されているイベント情報，時計部１０によって計測されている時刻，及びカレンダ部２０によって生成されたカレンダ情報に基づいて，あるイベントの開始時間の所定時間前であるかどうかを判断する（ステップＳ２）。例えば，制御部７０は，イベント（ゴミ収集日）の６時間前であるかどうかの判断を行う。制御部７０は，イベント開始時間の所定時間前になったと判断したときに，ステップＳ３へと進む。他方，制御部７０は，イベント開始時間の所定時間前ではないと判断したときには，ステップＳ１へと戻る。
【００３４】
ステップＳ３では，制御部７０は，報知部５０に対して予告機能を実行させる（ステップＳ３）。すなわち，本実施形態において，制御部７０は，発光部５２を発光させることにより，ユーザに対して，イベント開始時間の所定時間前であることを知らせる。制御部７０は，発光部５２を連続的に発光させることとしてもよいし，点滅させることとしてもよい。これにより，例えば，ユーザは，発光部５２が発光しているのを見て，翌日がゴミの収集日であることを確認することができる。従って，ユーザに対して，ゴミ収集日の前日に，家庭内のゴミをまとめることを促すことができる。
【００３５】
その後，制御部７０は，ステップＳ１と同様に，再度イベントの確認処理を行う（ステップＳ４）。
【００３６】
また，制御部７０は，記憶部３０に記憶されているイベント情報，時計部１０によって計測されている時刻，及びカレンダ部２０によって生成されたカレンダ情報に基づいて，イベントの当日（開始時間）になったかどうかを判断する（ステップＳ５）。制御部７０は，イベントの当日（開始時間）になったと判断したときに，ステップＳ６へと進む。他方，制御部７０は，イベントの当日（開始時間）ではないと判断したときには，ステップＳ４へと戻る。
【００３７】
ステップＳ６では，制御部７０は，ステップＳ３で開始した発光部５２の発光を終了させる（ステップＳ６）。
【００３８】
続いて，制御部７０は，センサ４０を起動させる（ステップＳ７）。これにより，センサ４０に電源（図示省略）から電力が供給され，センサ４０は，物体の存在を検知することができるようになる。
【００３９】
センサ４０が起動すると，制御部７０は，センサ４０によって物体が検知されたかどうかの判断を行う（ステップＳ８）。つまり，センサ４０は，物体を検知したときに，制御部４０に対してその検知信号を伝達する。このため，制御部７０は，センサ４０から物体の検知信号が伝達されたか否かを判断すればよい。例えば，本発明の電子時計１００は，玄関先や台所などに設置される。このため，センサ４０は，ユーザが玄関先や台所に存在しているかどうかを検知することができる。制御部７０は，センサ４０によって物体の検知がなされるまで，この処理（ステップＳ８）を繰り返し行う。他方，制御部７０は，センサ４０によって物体の存在が検知されたと判断したときに，ステップＳ９へと進む。
【００４０】
ステップＳ９において，制御部７０は，報知部５０に対して報知機能を実行させる（ステップＳ９）。すなわち，本実施形態において，制御部７０は，音出力部５１にアラーム音や音声を出力させるとともに，表示部５３にイベント当日である旨の画像を表示させる。例えば，制御部７０は，音出力部５１から，ゴミ収集日であることを知らせるアラーム音を鳴らす。なお，アラーム音は，一度再生し終えると停止することが好ましい。また，制御部７０は，図１に示されるように，表示部５３にゴミ収集日であることを知らせる「ゴミマーク」を表示させるとともに，その日に収集されるゴミの種類（例えば，燃やせるゴミの日）であることを知らせる案内画像を表示させる。これにより，ユーザは，アラーム音が鳴ったりゴミマークが表示されていることを確認したときに，今日がゴミの収集日であることを思い出すことができる。
【００４１】
続いて，制御部７０は，センサ４０が停止したかどうかの判断を行う（ステップＳ１０）。制御部７０は，センサ４０が停止している場合には，ステップＳ１の処理に戻る。他方，制御部７０は，センサ４０が停止していない場合には，ステップＳ８の処理に戻る。すなわち，制御部７０は，センサ４０が起動している限りにおいて，そのセンサ４０が物体の存在を検知したときには（ステップＳ８），アラーム音を出力するという処理（ステップＳ９）を繰り返し行う。このため，センサ４０が停止しない限り，ユーザに対して，繰り替し，ゴミ収集日である旨のアラーム音などを報知することができる。
【００４２】
他方，制御部７０が，センサ４０を停止させるための処理について説明する。
センサ４０の起動後（ステップＳ７），制御部７０は，操作部６０が備える終了ボタン６１が押されたか否かを判断する（ステップＳ１１）。終了ボタン６１は，報知部５０による報知機能を停止させるための情報を，制御部７０に入力するためのボタンである。例えば，終了ボタン６１は，ユーザが，ゴミを集積所に出し終えた後に押下される。このため，終了ボタン６１が押下された後（ゴミ出し完了後）には，ユーザに対し，ゴミ収集日であることを報知する必要がなくなる。従って，制御部７０は，終了ボタン６１が押下されたと判断した場合には，ステップＳ１３へと進み，センサ４０を停止させて，報知部５０による報知機能を終了させる（ステップＳ１３）。他方，制御部７０は，終了ボタン６１が押下されていないと判断した場合には，ステップＳ１２へと進む。
【００４３】
ステップＳ１２において，制御部７０は，記憶部３０に記憶されているイベント情報，時計部１０によって計測されている時刻，及びカレンダ部２０によって生成されたカレンダ情報に基づいて，イベントの当日を経過したかどうかを判断する（ステップＳ１２）。すなわち，制御部７０は，未だイベントの当日を経過していないと判断した場合には，ステップＳ１１へと戻る。他方，制御部７０は，終了ボタン６１が押下される前に，イベントの当日を経過したと判断した場合には，ステップＳ１３へと進み，センサ４０を停止させて，報知部５０による報知機能を終了させる（ステップＳ１３）。例えば，ユーザが，ゴミ収集日の当日に，ゴミ出しを行ったにも関わらず，終了ボタン６１を押さないという事態も考えられる。その場合には，ゴミ集積日の当日を経過した段階で，一旦センサ４０を停止させて，報知機能を終了させることが好ましい。
【００４４】
上記の工程によって，制御部７０はセンサ４０を停止させる（ステップＳ１３）。センサ４０停止後は，再度ステップＳ１へと戻り，制御部７０は，再びイベントの確認を行う（ステップＳ１）。
【００４５】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【００４６】
例えば，上述したとおり，本発明の電子時計１００が備えるセンサ４０は，人間の移動方向を検出する機能を有するものであってもよい。この場合，上述したステップＳ８において，制御部７０は，センサ４０によって一定方向（例えば，右から左への方向，又は左から右への方向のいずれか）に向かって移動する人間の存在が検知されたかどうかを判断する。そして，制御部７０は，センサ４０によって一定方向へ移動する人間の存在が検知されたと判断した場合に，音出力部５１からアラーム音を出力したり，表示部５３に特定の画像を表示したりして，ユーザに対し，イベント当日である旨を報知するようにすればよい（ステップＳ９）。
【産業上の利用可能性】
【００４７】
本発明は，ゴミ収集日などのイベントを知らせてくれるアラーム付きの電子時計に関する。従って，本発明は電子時計の製造業などにおいて好適に利用しうる。
【符号の説明】
【００４８】
１０…時計部          ２０…カレンダ部        ３０…記憶部
４０…センサ          ５０…報知部            ５１…音出力部
５２…発光部          ５３…表示部            ６０…操作部
６１…終了ボタン      ６２…設定ボタン        ７０…制御部
１００…電子時計
【図１】
2015064317.tif 000003
【図２】
2015064317.tif 000004
【図３】
2015064317.tif 000005
【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
時刻を計測する時計部（１０）と，
前記時計部（１０）が計測する時刻と連動したカレンダ情報を生成するカレンダ部（２０）と，
前記カレンダ情報に関連付けてイベントの時刻，日付，又は曜日を含むイベント情報を記憶する記憶部（３０）と，
人間を含む物体の存在を検知するためのセンサ（４０）と，
前記記憶部（３０）に記憶されている前記イベントの当日又は所定時間前に，前記センサ（４０）が前記物体の存在を検知したときに，前記イベントがある旨を知らせる報知機能を有する報知部（５０）と，を備える
電子時計。
【請求項２】
前記報知部（５０）は，前記記憶部（３０）に記憶されている前記イベントの所定時間前に，前記センサ（４０）による検知の有無に関わらず，前記イベントがある旨を予告する予告機能を，さらに有する
請求項１に記載の電子時計。
【請求項３】
前記報知部（５０）は，少なくとも音出力部（５１）及び発光部（５２）を有し，
前記報知機能は，前記音出力部（５１）から音を出力することで，前記イベントがある旨を知らせるものであり，
前記予告機能は，前記発光部（５２）を発光させることで，前記イベントがある旨を予告するものである
請求項２に記載の電子時計。
【請求項４】
前記センサ（４０）は，前記物体の移動方向を検出する機能を有し，
前記報知部（５０）の報知機能は，前記記憶部（３０）に記憶されている前記イベントの当日又は所定時間前に，前記センサ（４０）が前記物体の一定方向への移動を検知したときに，前記イベントがある旨を知らせる
請求項１から請求項３のいずれかに記載の電子時計。
【請求項５】
前記イベントは，ゴミ収集日である
請求項１から請求項４のいずれかに記載の電子時計。